(57)【要約】【課題】従来の墓における経机は、脚の上面に天板を設けた構造に構成されている。水鉢は一重の石で構成され、納骨は水鉢を全部移動して行うか、引き戸式の扉を設けて扉を開閉して行う。しかし、経机は収納場所が小さく、水鉢は重い石を降ろしてから納骨するので体に負担がかかるなどの問題がある。【解決手段】墓における経台２は、底板２Ａ、左方の側板２Ｂ、右方の側板２Ｃ、背面板２Ｄ、天板２Ｅ、観音開きの扉２Ｆ、底板２Ａの上面に設けられたスライド棚板２Ｇ及び側板の内側に取付けられた棚板２Ｈなどから構成されている。【選択図】        図２
2005036444.tif 000002
【特許請求の範囲】
【請求項１】
墓における芝台（１Ａ）の前面には経台（２）が取付けられ、経台（２）は、底板（２Ａ）と、底板の左右辺に起立連結された左方の側板（２Ｂ）、右方の側板（２Ｃ）と、左方の側板（２Ｂ）と右方の側板（２Ｃ）の背面に張設された背面板（２Ｄ）と、これらの上面に張設された天板（２Ｅ）と、正面開口部に開閉自在に取付けられた観音開きの扉（２Ｆ）と、底板（２Ａ）の上面に前後方向にスライド自在に設けられたスライド棚板（２Ｇ）と、側板の内側に取付けられた棚板（２Ｈ）と、背面板（２Ｄ）の内側に取付けられた柄杓支持具（２Ｉ）から構成されていることを特徴とする墓。
【請求項２】
請求項１記載の墓において、底板（２Ａ）は、平面左右に横長方形に構成された下方用板で構成されていると共に、当該底板の上面における後半分の中央には前後方向の溝（２Ａ１）が刻設され、スライド棚板（２Ｇ）は、平面横長の方形に構成されたスライド用板（２Ｇ１）で構成され、当該スライド用板の下面中央の後方には底板（２Ａ）における溝（２Ａ１）に遊嵌する突起（２Ｇ２）が下方に向け突設され、かつ突起（２Ｇ２）の左右には前後方向の突条（２Ｇ３）が下方に向け突設され、中央先端に把手用くぼみ（２Ｇ４）が形成されていることを特徴とする墓。
【請求項３】
墓における下台（１Ｂ）の開口部（１Ｂ１）には当該開口部（１Ｂ１）を塞ぐ状態で第１種水鉢部（３）が取付けられ、第１種水鉢部内には香炉部（１Ｇ）が配設され、芝台（１Ａ）の前面には経台（２）が取付けられ、経台（２）は、請求項１記載の墓における経台（２）の構成と同一に構成され、第１種水鉢部（３）は、下方台板（３Ａ）と、下方台板に連設された左方側面（３Ｂ）と、右方側面（３Ｃ）と、上方台板（３Ｄ）と、左方側面（３Ｂ）と右方側面（３Ｃ）の前方部分に配設された前方の観音開き戸（３Ｅ）と、左方側面（３Ｂ）と右方側面（３Ｃ）の後方部分に配設された後方の観音開き戸（３Ｆ）から構成されていることを特徴とする墓。
【請求項４】
請求項３記載の墓において、下方台板（３Ａ）は、平面左右に横長方形に構成された下方板（３Ａ１）と、下方板（３Ａ１）の後方辺の上面に突設された横長角柱状のストッパ（３Ａ２）から構成され、香炉部（１Ｇ）は、平面方形の下板（１Ｇ１）と、下板の上面に当該下板の左右部分（１Ｇ１１）を残して載置された香炉（１Ｇ２）から構成されていることを特徴とする墓。
【発明の詳細な説明】
【０００１】
【発明の属する技術分野】
本発明は、新規な構成を有する墓に関するものである。
【０００２】
【従来の技術】
Ａ．従来の墓における経机は、下記のような構成となっている。
脚の上面に天板を設けた構造に構成されている。
この場合、経机の中には蓋を付けて小さな収納スペースを設けたものもある。
Ｂ．従来の墓における水鉢（「骨ふた」とも云う）は、下記のような構成となっている。
ｂ１．第１方式〜一重の石で構成し、納骨は水鉢を全部移動して行う。
ｂ２．第２方式〜引き戸式の扉を設けて、納骨は扉を開閉して行う。「特許文献１」参照
ｂ３．第３方式〜引き出しを形成する。
【０００３】
【特許文献１】
特許第３０３２４９５号公報
【０００４】
【発明が解決しようとする課題】
従来の技術で述べたものにあっては、下記のような問題点を有していた。
Ａ．上述の墓における経机では、お参り用品、柄杓や手桶などを収納できないので、敷地内に別に収納場所を作り、これに収納するなどしている。
ａ１．このような収納場所を設けるスペースがある場合はいいが、スペースがとれない場合には収納場所の設置を断念することになる。
ａ２．従来の経机における収納場所は小さいので、ローソク、マッチ、風防ガラスなどの小さいものしか納めることができない。
Ｂ．上述の墓における水鉢での問題点は下記の通りである。
ｂ１．第１方式〜重い石を降ろしてから納骨するので体に負担がかかる。水が浸入しやすい。
ｂ２．第２方式〜引き戸が移動するため横幅の空間を広くとる必要がある。
ｂ３．第３方式〜石と石とがぶつかり合うため、引っかかりが起きる。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
すなわち、
請求項１記載の発明は、墓における芝台１Ａの前面には経台２が取付けられ、経台２は、底板２Ａと、底板の左右辺に起立連結された左方の側板２Ｂ、右方の側板２Ｃと、左方の側板２Ｂと右方の側板２Ｃの背面に張設された背面板２Ｄと、これらの上面に張設された天板２Ｅと、正面開口部に開閉自在に取付けられた観音開きの扉２Ｆと、底板２Ａの上面に前後方向にスライド自在に設けられたスライド棚板２Ｇと、側板の内側に取付けられた棚板２Ｈと、背面板２Ｄの内側に取付けられた柄杓支持具２Ｉから構成されていることを特徴とするものである。
【０００７】
請求項２記載の発明は、請求項１記載の発明において、底板２Ａは、平面左右に横長方形に構成された下方用板で構成されていると共に、当該底板の上面における後半分の中央には前後方向の溝２Ａ１が刻設され、スライド棚板２Ｇは、平面横長の方形に構成されたスライド用板２Ｇ１で構成され、当該スライド用板の下面中央の後方には底板２Ａにおける溝２Ａ１に遊嵌する突起２Ｇ２が下方に向け突設され、かつ突起２Ｇ２の左右には前後方向の突条２Ｇ３が下方に向け突設され、中央先端に把手用くぼみ２Ｇ４が形成されていることを特徴とするものである。
【０００８】
請求項３記載の発明は、墓における下台１Ｂの開口部１Ｂ１には当該開口部１Ｂ１を塞ぐ状態で第１種水鉢部３が取付けられ、第１種水鉢部内には香炉部１Ｇが配設され、芝台１Ａの前面には経台２が取付けられ、経台２は、請求項１記載の発明における経台２の構成と同一に構成され、第１種水鉢部３は、下方台板３Ａと、下方台板に連設された左方側面３Ｂと、右方側面３Ｃと、上方台板３Ｄと、左方側面３Ｂと右方側面３Ｃの前方部分に配設された前方の観音開き戸３Ｅと、左方側面３Ｂと右方側面３Ｃの後方部分に配設された後方の観音開き戸３Ｆから構成されていることを特徴とするものである。
【０００９】
請求項４記載の発明は、請求項３記載の墓において、下方台板３Ａは、平面左右に横長方形に構成された下方板３Ａ１と、下方板３Ａ１の後方辺の上面に突設された横長角柱状のストッパ３Ａ２から構成され、香炉部１Ｇは、平面方形の下板１Ｇ１と、下板の上面に当該下板の左右部分１Ｇ１１を残して載置された香炉１Ｇ２から構成されていることを特徴とするものである。
【００１０】
【発明の実施の形態】
以下、本発明の実施の形態を実施例にもとづき図面を参照して説明する。
１は第１発明の墓である。
芝台１Ａと、芝台の上面に設置された下台１Ｂと、下台の上面に設置された中台１Ｃと、中台の上面に設置されたさお１Ｄと、芝台の下面に形成された納骨用くぼみ１Ｅから構成され、芝台１Ａには納骨用くぼみと連通する平面方形の開口部１Ａ１が開口され、下台１Ｂには当該下台の正面に略下向きコ字状に形成した開口部１Ｂ１が芝台の開口部１Ａ１と連通するよう構成され、下台１Ｂの開口部１Ｂ１には当該開口部１Ｂ１を塞ぐ状態で水鉢部１Ｆが取付けられ、芝台１Ａの前面には経台２が取付けられている。
【００１１】
経台２は、底板２Ａと、底板の左右辺に起立連結された左方の側板２Ｂ、右方の側板２Ｃと、左方の側板２Ｂと右方の側板２Ｃの背面に張設された背面板２Ｄと、これらの上面に張設された天板２Ｅと、正面開口部に開閉自在に取付けられた観音開きの扉２Ｆと、底板２Ａの上面に前後方向にスライド自在に設けられたスライド棚板２Ｇと、側板の内側に取付けられた棚板２Ｈと、背面板２Ｄの内側に取付けられた柄杓支持具２Ｉから構成されている。
【００１２】
Ａ．底板２Ａは、平面左右に横長方形に構成された下方用板で構成されていると共に、当該底板の上面における後半分の中央には前後方向の溝２Ａ１が刻設されている。
Ｂ．左方の側板２Ｂは、前後の長さが下方用板の幅より短く構成されている側面方形の側板で構成され、底板２Ａの左方辺に前方部分を残して起立連結されている。
Ｃ．右方の側板２Ｃは、前後の長さが下方用板の幅より短く構成されている側面方形の側板で構成され、底板２Ａの右方辺に前方部分を残して起立連結されている。
Ｄ．背面板２Ｄは、正面左右に横長方形に構成された背面用板を、底板２Ａと左方の側板及び右方の側板の後端に連結した状態で張設されている。
Ｅ．天板２Ｅは、平面左右に横長方形の上方板で構成され、左方の側板２Ｂ及び右方の側板２Ｃと背面板２Ｄの上面に底板２Ａと平行な状態で連結されている。
【００１３】
Ｆ．観音開きの扉２Ｆは、左の開き戸２Ｆ１と右の開き戸２Ｆ２から構成されている。
ｆ１．左の開き戸２Ｆ１は、正面方形の左戸用板と左戸用板の左方端に連設された立柱体２Ｆ１１から構成され、立柱体が左方の側板２Ｂの前方位置で、底板２Ａと天板２Ｅ間で回動自在の状態で支持されている。
ｆ２．右の開き戸２Ｆ２は、正面方形の右戸用板と右戸用板の右方端に連設された立柱体２Ｆ２１から構成され、立柱体が右方の側板２Ｃの前方位置で、底板２Ａと天板２Ｅ間で回動自在の状態で支持されている。
ｆ３．左の開き戸２Ｆ１、右の開き戸２Ｆ２と底板２Ａと天板２Ｅとの連結は、それぞれの立柱体の上下面中心に埋込んだ支点ピンＳＰを底板２Ａと天板２Ｅ側に埋込んで行われている。
なお、支点ピンＳＰは公知のものである。
Ｇ．スライド棚板２Ｇは、平面横長の方形に構成されたスライド用板２Ｇ１で構成され、当該スライド用板の下面中央の後方には底板２Ａにおける溝２Ａ１に遊嵌する突起２Ｇ２が下方に向け突設され、かつ突起２Ｇ２の左右には前後方向の突条２Ｇ３が下方に向け突設され、中央先端に把手用くぼみ２Ｇ４が形成されている。
Ｈ．棚板２Ｈは、平面方形の板で構成され、左方の側板２Ｂの上下方向におけるほぼ中間位置をもって、当該左方の側板と背面板２Ｄの間に固定されている。
Ｉ．柄杓支持具２Ｉは、フック状体２Ｉ１で構成され、背面板２Ｄに所定高さをもって左右一対の状態で取付けられている。
なお、芝台１Ａと経台２をコーキングなどで接着してもよい。
【００１４】
１１は第２発明の墓である。
芝台１Ａと、芝台の上面に設置された下台１Ｂと、下台の上面に設置された中台１Ｃと、中台の上面に設置されたさお１Ｄと、芝台の下面に形成された納骨用くぼみ１Ｅから構成され、芝台１Ａには納骨用くぼみと連通する平面方形の開口部１Ａ１が開口され、下台１Ｂには当該下台の正面に略下向きコ字状に形成した開口部１Ｂ１が芝台の開口部１Ａ１と連通するよう構成され、下台１Ｂの開口部１Ｂ１には当該開口部１Ｂ１を塞ぐ状態で第１種水鉢部３が取付けられ、第１種水鉢部内には香炉部１Ｇが配設され、芝台１Ａの前面には経台２が取付けられている。
経台２は、第１発明の墓１における経台２の構成と同一に構成されている。
【００１５】
第１種水鉢部３は、下方台板３Ａと、左方側面３Ｂと、右方側面３Ｃと、上方台板３Ｄと、前方の観音開き戸３Ｅと、後方の観音開き戸３Ｆから構成されている。（図１５〜１９参照）
そして、下台の開口部１Ｂ１にコーキングで接着されている。
【００１６】
Ａ．下方台板３Ａは、平面左右に横長方形に構成された下方板３Ａ１と、下方板３Ａ１の後方辺の上面に突設された横長角柱状のストッパ３Ａ２から構成されている。
Ｂ．左方側面３Ｂは、前後の長さが下方台板の幅より短く構成されている側面方形の側板３Ｂ１の前方端外方に平面略Ｌ字状の切欠き３Ｂ２を形成して構成され、下方台板３Ａの左方辺に前方部分を残して起立連結されている。
Ｃ．右方側面３Ｃは、前後の長さが下方台板の幅より短く構成されている側面方形の側板３Ｃ１の前方端外方に平面略Ｌ字状の切欠き３Ｃ２を形成して構成され、下方台板３Ａの右方辺に前方部分を残して起立連結されている。
Ｄ．上方台板３Ｄは、平面左右に横長方形の上方板３Ｄ１で構成され、左方側面３Ｂと右方側面３Ｃの上面に下方台板３Ａと平行な状態で連結されている。
【００１７】
Ｅ．前方の観音開き戸３Ｅは、前方左の開き戸３Ｅ１と前方右の開き戸３Ｅ２から構成されている。
ｅ１．前方左の開き戸３Ｅ１は、正面方形の左戸用板３Ｅ１１と左戸用板の左方端に連設された立柱体３Ｅ１２から構成され、立柱体３Ｅ１２が左方側面３Ｂにおける切欠き３Ｂ２の前方位置で、下方台板３Ａと上方台板３Ｄ間で回動自在の状態で支持されている。
ｅ２．前方右の開き戸３Ｅ２は、正面方形の右戸用板３Ｅ２１と右戸用板の右方端に連設された立柱体３Ｅ２２から構成され、立柱体３Ｅ２２が右方側面３Ｃにおける切欠き３Ｃ２の前方位置で、下方台板３Ａと上方台板３Ｄ間で回動自在の状態で支持されている。
ｅ３．前方左の開き戸３Ｅ１、前方右の開き戸３Ｅ２と下方台板３Ａあるいは上方台板３Ｄの連結は、それぞれの立柱体の上下面中心に埋込んだ支点ピンＳＰを下方台板３Ａと上方台板３Ｄ側に埋込んで行われている。
なお、支点ピンＳＰは公知のものである。（支点ピンＳＰは図１８参照）
図中、３Ｅ４は前方左の開き戸３Ｅ１、前方右の開き戸３Ｅ２に設けられた把手である。
【００１８】
Ｆ．後方の観音開き戸３Ｆは、後方左の開き戸３Ｆ１と後方右の開き戸３Ｆ２から構成されている。
ｆ１．後方左の開き戸３Ｆ１は、正面方形の左戸用板で構成され、当該後方左の開き戸３Ｆ１の左端を中心に下方台板３Ａと上方台板３Ｄ間で回動自在の状態で支持されている。
ｆ２．後方右の開き戸３Ｆ２は、正面方形の右戸用板で構成され、当該後方右の開き戸３Ｆ２の右端を中心に下方台板３Ａと上方台板３Ｄ間で回動自在の状態で支持されている。
ｆ３．後方左の開き戸３Ｆ１、後方右の開き戸３Ｆ２と下方台板３Ａあるいは上方台板３Ｄの連結は、後方左の開き戸３Ｆ１における左端の上下面中心に埋込んだ支点ピンＳＰと後方右の開き戸３Ｆ２における右端の上下面中心に埋込んだ支点ピンＳＰを下方台板３Ａと上方台板３Ｄ側に埋込んで行われている。
なお、支点ピンＳＰは公知のものである。
図中、３Ｆ３は後方左の開き戸３Ｆ１、後方右の開き戸３Ｆ２に設けられた把手である。
Ｇ．香炉部１Ｇは、平面方形の下板１Ｇ１と、下板の上面に当該下板の左右部分１Ｇ１１を残して載置された香炉１Ｇ２から構成され、第１種水鉢部３内に収納されている。
【００１９】
【発明の効果】
本発明は、上述の通り構成されているので次に記載する効果を奏する。
Ａ．第１発明（経台２関係）の効果について
ａ．経台２における左の開き戸２Ｆ１と右の開き戸２Ｆ２を開閉し、例えば、下記の物品を出し入れする。
棚板２Ｈの上に所謂お参り用品（ローソク、線香、マッチなど）４を置く。
棚板２Ｈの下方空間に、お鈴や鈴棒５、ローソク用風防筒５Ａを置く。
柄杓支持具２Ｉには柄杓６を係止する。
経台２内の右方空間には手桶７を置く。
この結果、墓参時に上述したお参り用品を用意持参する必要がなく便利である。
ｂ．観音開きの扉によりお参り用品などを雨水から確実に保管できると共に、スライド棚板によりお参り用品などの出し入れを容易にすることができる。
【００２０】
Ｂ．第２発明（経台２＋第１種水鉢部３関係）の効果について
ｂ１．経台２については上記Ａで記載した効果が期待できるほか、第１種水鉢部については下記の効果を期待することができる。
ｂ２．第１種水鉢部で前方の観音開き戸と後方の観音開き戸の開け閉めが簡単にでき楽になるので、第１種水鉢部での香炉の使用と納骨を極めて容易に行うことができる。
ｂ３．前方の観音開き戸と後方の観音開き戸で二重ふたに構成されているから、前方の戸を開けてから後方の戸を開けることになるので雨水が浸入しにくい。
ｂ４．下台の開口部に第１種水鉢部をコーキングで接着するため雨水が浸入しない。
ｂ５．前方の観音開き戸と後方の観音開き戸は、上下の支点ピンで支持されているので、従来の引き戸式のものに比べて開閉に際して引っかかりがなく簡単に動かして納骨することができる。
ｂ６．従来の引き戸式のものの場合、左右に移動させることになるので、移動に要する横幅の空間を広く確保する必要があるが、本発明の場合、かかる横幅のスペースを確保する必要がない。
【図面の簡単な説明】
【図１】第１発明の斜視図である。
【図２】同上の縦断面図である。
【図３】経台の斜視図である。
【図４】経台の正面図である。
【図５】左側面図である。
【図６】Ａ−Ａ線断面図である。
【図７】Ｂ−Ｂ線断面図である。
【図８】Ｃ−Ｃ線断面図である。
【図９】図６における斜視図である。
【図１０】図８における斜視図である。
【図１１】天板を取除いたスライド棚板の作用を示す斜視図である。
【図１２】天板を取除いたスライド棚板の作用を示す斜視図である。
【図１３】天板を取除いた手桶などの収納状態を示す斜視図である。
【図１４】第２発明の縦断面図である。
【図１５】第１種水鉢部の斜視図である。
【図１６】第１種水鉢部の上方台板を除去した状態の平面図である。
【図１７】第１種水鉢部の上方台板と香炉部を除去し前方の観音開き戸と後方の観音開き戸を開いた状態の平面図である。
【図１８】第１種水鉢部の分解斜視図である。
【図１９】第１種水鉢部の分解斜視図である。
【符号の説明】
１  第１発明の墓
１Ａ  芝台
１Ｂ  下台
１Ｃ  中台
１Ｄ  さお
１Ｅ  納骨用くぼみ
１Ｆ  水鉢部
２  経台
１１  第２発明の墓
３  第１種水鉢部
【図１】
2005036444.tif 000003
【図２】
2005036444.tif 000004
【図３】
2005036444.tif 000005
【図４】
2005036444.tif 000006
【図５】
2005036444.tif 000007
【図６】
2005036444.tif 000008
【図７】
2005036444.tif 000009
【図８】
2005036444.tif 000010
【図９】
2005036444.tif 000011
【図１０】
2005036444.tif 000012
【図１１】
2005036444.tif 000013
【図１２】
2005036444.tif 000014
【図１３】
2005036444.tif 000015
【図１４】
2005036444.tif 000016
【図１５】
2005036444.tif 000017
【図１６】
2005036444.tif 000018
【図１７】
2005036444.tif 000019
【図１８】
2005036444.tif 000020
【図１９】
2005036444.tif 000021